(57)【要約】【課題】駆動光源の輝度が減少した場合でもターゲットホワイト色座標を維持することができる光源駆動方法及びこれを用いた表示装置を提供する。【解決手段】本発明の光源駆動方法は、複数のカラー光源から発生した複数のカラー光の光量をセンシングする段階と、カラー光の光量に対応するセンシングデータと既に保存された基準データとを比較し、カラー光源のうち、予め決められた設定デューティで駆動された光源が存在するか否かを判断する段階と、予め決められた設定デューティで駆動された光源が存在する場合、該設定デューティで駆動された光源の光量に基づいて基準データを変更する段階と、変更された基準データに基づいてカラー光源に提供される駆動信号を制御してカラー光の光量を補正する段階と、を有する。【選択図】図３
2010135318.tif 000002
【特許請求の範囲】
【請求項１】
複数のカラー光源から発生した複数のカラー光の光量をセンシングする段階と、
前記カラー光の光量に対応するセンシングデータと既に保存された基準データとを比較し、前記カラー光源のうち、予め決められた設定デューティで駆動された光源が存在するか否かを判断する段階と、
前記予め決められた設定デューティで駆動された光源が存在する場合、該設定デューティで駆動された光源の光量に基づいて前記基準データを変更する段階と、
前記変更された基準データに基づいて前記カラー光源に提供される駆動信号を制御して前記カラー光の光量を補正する段階と、を有することを特徴とする光源駆動方法。
【請求項２】
前記センシングされたデータと既に保存された基準データとを比較し、前記センシングデータと前記基準データとが一致するか否かを判断する段階を更に有し、
前記設定デューティで駆動された光源が存在するか否かを判断する段階は、前記センシングデータと前記基準データとが一致しない場合に遂行されることを特徴とする請求項１に記載の光源駆動方法。
【請求項３】
前記基準データを変更する段階は、
前記設定デューティで駆動された光源の光量をセンシングする段階と、
前記設定デューティで駆動された光源のセンシングデータと基準データとの比率を算出する段階と、
前記比率に基づいて変更データを生成する段階と、
前記変更データを利用して前記基準データを変更する段階と、を含むことを特徴とする請求項２に記載の光源駆動方法。
【請求項４】
前記設定デューティは最大デューティであることを特徴とする請求項３に記載の光源駆動方法。
【請求項５】
前記カラー光源は、赤色発光ダイオード、緑色発光ダイオード、及び青色発光ダイオードを含むことを特徴とする請求項３に記載の光源駆動方法。
【請求項６】
前記基準データは、ターゲットホワイト色座標値及びターゲット輝度値に対応する赤色光、緑色光、及び青色光の光量値であることを特徴とする請求項５に記載の光源駆動方法。
【請求項７】
前記カラー光源のうち、前記設定デューティで駆動された光源が存在しない場合、前記基準データに基づいて前記カラー光源の光量を補正する段階を更に有することを特徴とする請求項１に記載の光源駆動方法。
【請求項８】
前記カラー光の光量を補正する段階は、
前記カラー光の光量をデジタル形態の前記センシングデータに変換する段階と、
前記センシングデータを基準データと比較して前記カラー光源に提供される駆動信号を制御する段階と、を含むことを特徴とする請求項７に記載の光源駆動方法。
【請求項９】
画像を表示する表示パネルと、
複数のカラー光源を含み、前記表示パネルにカラー光を提供する光源モジュールと、
前記カラー光源を駆動する光源駆動部と、
前記光源駆動部によって駆動された前記カラー光源から発生する複数のカラー光の光量をセンシングする光センシング部と、
前記カラー光の光量に対応するセンシングデータと基準データとを比較し、前記カラー光源のうち、予め決められた設定デューティで駆動された光源を検出し、該設定デューティで駆動された光源の光量に基づいて前記基準データを変更して前記カラー光の光量を補正する光源制御部と、を備えることを特徴とする表示装置。
【請求項１０】
前記光源制御部は、前記センシングデータと前記基準データとを比較し、前記センシングデータと前記基準データとが一致しない場合、前記カラー光源のうち、前記設定デューティで駆動された光源が存在するか否かを判断することを特徴とする請求項９に記載の表示装置。
【発明の詳細な説明】
【技術分野】
【０００１】
本発明は、光源駆動方法及びこれを用いた表示装置に関し、より詳しくは、液晶表示装置で使用される光源駆動方法及びこれを用いた表示装置に関する。
【背景技術】
【０００２】
一般的に、液晶表示装置は、薄型で軽量であり、低消費電力といった長所があることから、モニター、ノートパソコン、携帯電話のみならず、大型テレビにも利用される。液晶表示装置は、液晶の光透過率を利用して画像を表示する液晶表示パネル、及び液晶表示パネルの下部に配置されて液晶表示パネルに光を提供するバックライトアセンブリを含む。
【０００３】
バックライトアセンブリは、液晶表示装置に画像を表示するのに必要な光を発生する光源を含み、光源としては、冷陰極蛍光ランプ（Ｃｏｌｄ  Ｃａｔｈｏｄｅ  Ｆｌｕｏｒｅｓｃｅｎｔ  Ｌａｍｐ：ＣＣＦＬ）を採用することができるが、近年では、低消費電力及び高色再現性を有する発光ダイオード（Ｌｉｇｈｔ  Ｅｍｉｔｔｉｎｇ  Ｄｉｏｄｅｓ：ＬＥＤ）が採用されている。
【０００４】
発光ダイオードは、赤色（Ｒｅｄ）、緑色（Ｇｒｅｅｎ）、及び青色（Ｂｌｕｅ）発光ダイオードを含む。赤色、緑色、及び青色発光ダイオードから発生した赤色光、緑色光、及び青色光を混合してホワイト光を具現する。しかし、発光ダイオードは、使用時間及び周辺温度又は湿度によって輝度が変わる特性を有する。
【０００５】
図１は、発光ダイオードの寿命と輝度との関係を示すグラフである。
【０００６】
図１を参照すると、発光ダイオードは色相別に輝度特性及び寿命がそれぞれ異なり、赤色発光ダイオードの寿命が最も短いことがわかる。
【０００７】
従って、発光ダイオードを光源として採用しているバックライトアセンブリにおいては、正確な色再現のために発光ダイオードの輝度変化を補償している。つまり、従来のバックライトアセンブリは、カラーセンサーを利用して赤色、緑色、及び青色発光ダイオードから発生する光量を検出した。そして、検出された光量とターゲットホワイト色座標及びターゲット輝度値の比較を通じて、赤色、緑色、及び青色発光ダイオードに提供される駆動信号を制御して所望のカラーの輝度を調節した。
【０００８】
しかし、発光ダイオードの使用時間が長くなるにつれ、輝度が減少した場合、ターゲットホワイト色座標及びターゲット輝度値を満足させることができない場合が発生する。
【発明の概要】
【発明が解決しようとする課題】
【０００９】
本発明は、上記従来の問題点に鑑みてなされたものであって、本発明の目的は、駆動光源の輝度が減少した場合でもターゲットホワイト色座標を維持することができる光源駆動方法を提供することにある。
【００１０】
本発明の他の目的は、この光源駆動方法を遂行するのに適した光源装置を備える表示装置を提供することにある。
【課題を解決するための手段】
【００１１】
上記目的を達成するためになされた本発明の一特徴による光源駆動方法は、複数のカラー光源から発生した複数のカラー光の光量をセンシングする段階と、前記カラー光の光量に対応するセンシングデータと既に保存された基準データとを比較し、前記カラー光源のうち、予め決められた設定デューティで駆動された光源が存在するか否かを判断する段階と、前記予め決められた設定デューティで駆動された光源が存在する場合、該デューティで駆動された光源の光量に基づいて前記基準データを変更する段階と、前記変更された基準データに基づいて前記カラー光源に提供される駆動信号を制御して前記カラー光の光量を補正する段階と、を有する。
【００１２】
本発明の実施形態において、前記センシングデータと既に保存された基準データとを比較し、前記センシングデータと前記基準データとが一致するか否かを判断する段階を更に有し、前記設定デューティで駆動された光源が存在するか否かを判断する段階は、前記センシングデータと前記基準データとが一致しない場合に遂行される。
【００１３】
本発明の実施形態において、前記基準データを変更する段階は、前記設定デューティで駆動された光源の光量をセンシングする段階と、前記設定デューティで駆動された光源のセンシングデータと基準データとの比率を算出する段階と、前記比率に基づいて変更データを生成する段階と、前記変更データを利用して前記基準データを変更する段階と、を含む。
【００１４】
本発明の実施形態において、前記設定デューティは最大デューティであってもよい。
【００１５】
本発明の実施形態において、前記カラー光源は、赤色発光ダイオード、緑色発光ダイオード、及び青色発光ダイオードを含む。
【００１６】
本発明の実施形態において、前記基準データは、ターゲットホワイト色座標値及びターゲット輝度値に対応する赤色光、緑色光、及び青色光の光量値である。
【００１７】
本発明の実施形態において、前記カラー光源のうち、前記設定デューティで駆動された光源が存在しない場合、前記基準データに基づいて前記カラー光源の光量を補正する段階を更に有する。
【００１８】
本発明の実施形態において、前記カラー光の光量を補正する段階は、前記カラー光の光量をデジタル形態の前記センシングデータに変換する段階と、前記センシングデータを基準データと比較して前記カラー光源に提供される駆動信号を制御する段階と、を含む。
【００１９】
本発明の一実施形態による光源装置は、光源モジュール、光源駆動部、光センシング部、及び光源制御部を備える。前記光源モジュールは、複数のカラー光源を含む。前記光源駆動部は、前記カラー光源を駆動する。前記光センシング部は、前記光源駆動部によって駆動された前記カラー光源から発生する複数のカラー光の光量をセンシングする。前記光源制御部は、前記カラー光の光量に対応するセンシングデータと基準データとを比較し、前記カラー光源のうち、予め決められた設定デューティで駆動された光源を検出し、該設定デューティで駆動された光源の光量に基づいて前記基準データを変更して前記カラー光の光量を補正する。
【００２０】
本発明の実施形態において、前記光源制御部は、前記センシングデータと前記基準データとを比較し、前記センシングデータと前記基準データとが一致しない場合、前記カラー光源のうち、前記設定デューティで駆動された光源が存在するか否かを判断する。
【００２１】
本発明の実施形態において、前記カラー光源は、赤色発光ダイオード、緑色発光ダイオード、及び青色発光ダイオードを含む。
【００２２】
本発明の実施形態において、前記光源装置は、前記基準データを保存した保存部を更に備え、前記基準データは、ターゲットホワイト色座標値及びターゲット輝度値に対応する赤色光、緑色光、及び青色光の基準光量値である。
【００２３】
本発明の実施形態において、前記光センシング部は、前記赤色、緑色、及び青色発光ダイオードから発生した赤色光、緑色光、及び青色光の光量を各々センシングする赤色光、緑色光、及び青色光センサーと、前記赤色光、緑色光、及び青色光センサーから出力された前記赤色光、緑色光、及び青色光の光量を増幅する赤色光、緑色光、及び青色光増幅部と、を含む。
【００２４】
本発明の実施形態において、前記光源制御部は、前記赤色光、緑色光、及び青色光増幅部から各々入力された前記赤色光、緑色光、及び青色光の光量をデジタル形態のセンシングデータに変換するアナログ−デジタル変換部と、前記センシングデータと前記基準データとを比較して前記カラー光源に提供される駆動信号を制御して前記カラー光の光量を補正する制御部と、を含む。
【００２５】
本発明の実施形態において、前記制御部は、前記設定デューティで駆動された光源が検出されると、前記設定デューティで駆動された光源のセンシングデータと基準データとの比率を算出し、前記比率に基づいて変更データを生成し、前記変更データを利用して前記基準データを変更する。
【００２６】
上記他の目的を達成するためになされた本発明の一特徴による表示装置は、表示パネル、光源モジュール、光源駆動部、光センシング部、及び光源制御部を備える。前記表示パネルは画像を表示する。前記光源モジュールは、複数のカラー光源を含み、前記表示パネルに前記カラー光を提供する。前記光源駆動部は、前記カラー光源を駆動する。前記光センシング部は前記光源駆動部によって駆動された前記カラー光源から発生する複数のカラー光の光量をセンシングする。前記光源制御部は、前記カラー光の光量に対応するセンシングデータと基準データとを比較し、前記カラー光源のうち、予め決められた設定デューティで駆動された光源を検出し、該設定デューティで駆動された光源の光量に基づいて前記基準データを変更して前記カラー光の光量を補正する。
【００２７】
本発明の実施形態において、前記表示装置は使用者からターゲットホワイト色座標値及びターゲット輝度値に対応情報の入力を受ける使用者入力部を更に備え、前記光源制御部は、前記使用者入力部から入力を受けた情報に基づいて前記基準データを変更する。
【発明の効果】
【００２８】
本発明の光源駆動方法によれば、複数のカラー光源のうち、特定カラー光源の輝度が低下した場合でも、ターゲットホワイト色座標を維持することができる。
【図面の簡単な説明】
【００２９】
【図１】発光ダイオードの寿命と輝度との関係を示すグラフである。
【図２】本発明の一実施形態による表示装置のブロック図である。
【図３】図２に示す光源装置の詳細なブロック図である。
【図４】図３に示す光源装置の駆動方法を説明するためのフローチャートである。
【発明を実施するための形態】
【００３０】
以下、本発明の光源駆動方法及びこれを用いた表示装置を実施するための形態の具体例を、図面を参照しながらより詳しく説明する。
【００３１】
本発明は、多様な変更を加えることができ、様々な形態を有することができる。特定の実施形態を図面と共に例示して本明細書で詳しく説明するが、これは本発明を特定の開示形態に限定しようとするものではなく、本発明の思想及び技術範囲に含まれる全ての変更、均等物、もしくは代替物を含むものと理解すべきである。
【００３２】
各図面を説明しながら類似する参照符号を、類似する構成要素に対して使用した。図面において、構造物のサイズは本発明を明確にするために実際より拡大して示した。第１、第２などの用語は多様な構成要素を説明するにあたって使用することができるが、各構成要素は使用する用語によって限定されるものではない。各用語は１つの構成要素を他の構成要素と区別する目的で使用するものであって、例えば、明細書中において、第１構成要素を第２構成要素に書き換えることも可能であり、同様に第２構成要素を第１構成要素とすることもできる。単数表現は文脈上、明白に異なる意味を有しない限り、複数の表現を含む。
【００３３】
本明細書において、「含む」又は「有する」などの用語は、明細書上に記載された特徴、数字、段階、動作、構成要素、部品、又はこれらを組み合わせたものが存在することを示すものであって、１つ又はそれ以上の別の特徴、数字、段階、動作、構成要素、部品、又はこれらを組み合わせたものの存在又は付加可能性を予め排除しないことと理解すべきである。また、層、膜、領域、板などの部分が他の部分の「上に」あるとする場合、これは他の部分の「すぐ上に」ある場合のみでなく、その中間に更に他の部分がある場合も含む。反対に、層、膜、領域、板などの部分が他の部分の「下に」あるとする場合、これは他の部分の「すぐ下に」ある場合のみでなく、その中間に更に他の部分がある場合も含む。
【００３４】
図２は、本発明の一実施形態による表示装置のブロック図である。
【００３５】
図２を参照すると、本実施形態による表示装置は、表示パネル１００、パネル駆動部１３０、タイミング制御部２００、使用者入力部２５０、及び光源装置３００を含む。
【００３６】
表示パネル１００は、画像を表示する複数の画素を含む。例えば、画素は、Ｍ×Ｎ（Ｍ、Ｎは、自然数である）個である。各画素Ｐは、ゲートラインＧＬ及びデータラインＤＬに接続されたスイッチング素子ＴＲ、スイッチング素子ＴＲに接続された液晶キャパシタＣＬＣ及びストレージキャパシタＣＳＴを含む。
【００３７】
タイミング制御部２００は、外部から制御信号ＣＯＮ及び画像信号（Ｄａｔａ）を受信する。制御信号ＣＯＮは、垂直同期信号、水平同期信号、及びクロック信号を含んでもよい。タイミング制御部２００は、制御信号ＣＯＮを利用してパネル駆動部１３０を制御するためのパネル制御信号（２１２、２１４）を生成する。また、タイミング制御部２００は、制御信号ＣＯＮを利用して光源装置３００を制御するための光源制御信号２２０を生成する。
【００３８】
パネル駆動部１３０は、タイミング制御部２００から提供されたパネル制御信号（２１２、２１４）を利用して表示パネル１００を駆動する。
【００３９】
パネル駆動部１３０は、データ駆動部１３２及びゲート駆動部１３４を含んでもよい。パネル制御信号（２１２、２１４）は、データ駆動部１３２の駆動タイミングを制御するための第１制御信号２１２及びゲート駆動部１３４の駆動タイミングを制御するための第２制御信号２１４を含む。第１制御信号２１２はクロック信号、水平開始信号を含んでもよく、第２制御信号２１４は垂直開始信号を含んでもよい。
【００４０】
データ駆動部１３２は、第１制御信号２１２及び画像信号（Ｄａｔａ）を利用してデータ信号を生成し、生成されたデータ信号をデータラインＤＬに提供する。
【００４１】
ゲート駆動部１３４は、第２制御信号２１４を利用してゲートラインＧＬをアクティブにするゲート信号を生成し、生成されたゲート信号をゲートラインＧＬに提供する。
【００４２】
使用者入力部２５０は、使用者操作信号の入力を受ける使用者インターフェース（Ｕｓｅｒ  Ｉｎｔｅｒｆａｃｅ）として、使用者から、光源装置３００より出力される光のカラー及び輝度の特性を調節するためのカラー特性情報の入力を受けて光源装置３００に提供する。一例として、使用者入力部２５０は、表示パネル１００の本体ケーシング外部に設けてもよい。
【００４３】
光源装置３００は、タイミング制御部２００から受信した光源制御信号２２０に応答して表示パネル１００に光を提供する。
【００４４】
光源装置３００は、光源モジュール３１０、光センシング部３３０、保存部３５０、及び光源駆動部３９０を含む。
【００４５】
光源モジュール３１０は、複数のカラー光源と、カラー光源が配置された駆動基板を含む。カラー光源は、赤色光を発生する赤色発光ダイオード、緑色光を発生する緑色発光ダイオード、及び青色光を発生する青色発光ダイオードを含む。光源モジュール３１０は、Ｍ×Ｎ（Ｍ、Ｎは、自然数である）個の発光ブロックＢに分けられる。各発光ブロックＢは、複数個の発光ダイオードを含んでもよい。
【００４６】
光センシング部３３０は、赤色、緑色、及び青色発光ダイオードから発生した赤色光、緑色光、及び青色光の光量をセンシングして光源制御部３７０に提供する。
【００４７】
保存部３５０は、赤色、緑色、及び青色発光ダイオードの光量補正のために要求される複数の基準データを保存する。基準データは、ターゲットホワイト色座標値及びターゲット輝度値に対応する赤色光、緑色光、及び青色光の光量値であってもよい。基準データは、量産過程で、テストを通じて得た値であってもよい。基準データは、使用者入力部２５０から入力を受けたカラー特性情報に従って更新されてもよい。また、基準データは、カラー光源の内、光量不足の光源が存在する場合、光量不足の光源の光量に基づいて更新されてもよい。
【００４８】
一方、本実施形態においては、保存部３５０が光源制御部３７０と別途に具備されることを例として説明したが、光源制御部３７０内に内蔵されてもよい。
【００４９】
光源制御部３７０は、外部から入力を受けた画像信号を分析して光源駆動部３９０に発光ブロックの駆動を制御するためのディミング信号を出力する。光源制御部３７０は、光センシング部３３０によってセンシングされた光量に対応するセンシングデータと保存部３５０に保存された基準データを比較してカラー光の光量を補正する。光源制御部３７０は、カラー光源に提供される駆動信号を制御してカラー光の光量を補正してもよい。例えば、光源制御部３７０は、カラー光源に提供される電流のパルス幅を調節してホワイト光がターゲットホワイト色座標及びターゲット輝度を維持するようにカラー光の光量を補正することができる。また、光源制御部３７０は、カラー光源に提供される電流のレベルを調節してカラー光の光量を補正できる。
【００５０】
光源制御部３７０は、センシングデータと基準データが一致しない場合、カラー光源の内、予め決められた設定デューティで駆動された光源が存在するか否かを判断する。ここで、設定デューティは、最大デューティ（１００％）であってもよい。光源制御部３７０は、カラー光源の内、設定デューティで駆動された光源が存在する場合、設定デューティで駆動された光源の光量に基づいて基準データを変更する。光源制御部３７０は、設定デューティで駆動された光源の光量をセンシングするように光センシング部３３０を制御する。光源制御部３７０は、設定デューティで駆動された光源のセンシングデータと基準データの比率を算出し、この比率に基づいて基準データを変更するための変更データを生成する。例えば、光源制御部３７０はこの比率を基準データそれぞれに乗算して変更データを生成してもよい。光源制御部３７０は変更データを利用して基準データを更新するように変更データを保存部３５０に提供する。光源制御部３７０は、変更データに基づいてカラー光の光量を補正する動作を行う。
【００５１】
一方、光源制御部３７０は、使用者入力部２５０からカラー特性情報が入力された場合、このカラー特性情報に基づいて保存部３５０に保存された基準データを変更することができる。
【００５２】
光源駆動部３９０は、光源制御部３７０から入力された赤色、緑色、及び青色駆動信号に基づいて発光ブロックを駆動する。
【００５３】
図３は、図２に示す光源装置の詳細なブロック図である。
【００５４】
図２及び図３を参照すると、光源装置３００は、光源モジュール３１０、光センシング部３３０、保存部３５０、光源制御部３７０、及び光源駆動部３９０を含む。
【００５５】
光源モジュール３１０は、赤色光を発生する赤色発光ダイオード（Ｒ＿ＬＥＤ）、緑色光を発生する緑色発光ダイオード（Ｇ＿ＬＥＤ）、青色光を発生する青色発光ダイオード（Ｂ＿ＬＥＤ）を含む。
【００５６】
光センシング部３３０は、光センサー３３２、及び増幅器３３４を含む。
【００５７】
光センサー３３２は、赤色発光ダイオード（Ｒ＿ＬＥＤ）から発生した赤色光の光量をセンシングする赤色光センサー３３２ａ、緑色発光ダイオード（Ｇ＿ＬＥＤ）から発生した緑色光の光量をセンシングする緑色光センサー３３２ｂ、青色発光ダイオード（Ｂ＿ＬＥＤ）から発生した青色光の光量をセンシングする青色光センサー３３２ｃを含む。光センサー３３２は、光源モジュール３１０の中心又は側面に配置されてもよい。
【００５８】
増幅器３３４は、赤色光センサー３３２ａから出力された赤色センシング信号を増幅させて出力する赤色光増幅部３３４ａ、緑色光センサー３３２ｂから出力された緑色センシング信号を増幅させて出力する緑色光増幅部３３４ｂ、青色光センサー３３２ｃから出力された青色センシング信号を増幅させて出力する青色光増幅部３３４ｃを含む。赤色光、緑色光、及び青色光増幅部３３４ａ、３３４ｂ、３３４ｃは、それぞれ低域通過フィルタ（Ｌｏｗ  Ｐａｓｓ  Ｆｉｌｔｅｒ：ＬＰＦ）を構成するオペアンプ（Ｏｐｅｒａｔｉｏｎａｌ  Ａｍｐｌｉｆｉｅｒ：ＯＰ−ＡＭＰ）を含んでもよい。
【００５９】
光源制御部３７０は、アナログ−デジタル変換部３７２及び制御部３７４を含む。
【００６０】
アナログ−デジタル変換部３７２は、増幅器３３４から出力された赤色、緑色、及び青色センシング信号をデジタル形態の赤色、緑色、及び青色センシングデータに変換する。
【００６１】
制御部３７４は、センシングデータと保存部３５０に保存された基準データを比較してセンシングデータと基準データが一致しない場合、カラー光源の内、設定デューティで駆動された光源が存在するか否かを判断する。光源制御部３７０は、カラー光源の内、設定デューティで駆動された光源が存在する場合、設定デューティで駆動された光源の光量に基づいて基準データを変更する。このために、制御部３７４は、設定デューティで駆動された光源の光量をセンシングするように光センシング部３３０を制御し、設定デューティで駆動された光源の光量に対応するセンシングデータと基準データの比率を算出する。制御部３７４は、この比率を基準データそれぞれに乗算して基準データを変更するための変更データを生成する。光源制御部３７０は、変更データで基準データを更新するように変更データを保存部３５０に提供する。光源制御部３７０は、変更データを基にカラー光の光量を補正する動作を行う。
【００６２】
光源駆動部３９０は、赤色発光ダイオードＲ＿ＬＥＤに赤色信号を提供して赤色発光ダイオードＲ＿ＬＥＤを駆動する赤色駆動部３９２、緑色発光ダイオードＧ＿ＬＥＤに緑色信号を提供して緑色発光ダイオードＧ＿ＬＥＤを駆動する緑色駆動部３９４、青色発光ダイオードＢ＿ＬＥＤに青色信号を提供して青色発光ダイオードＢ＿ＬＥＤを駆動する青色駆動部３９６を含む。
【００６３】
図４は、図３に示す光源装置の駆動方法を説明するためのフローチャートである。
【００６４】
図３及び図４を参照すると、光センシング部３３０は、赤色、緑色、及び青色発光ダイオードＲ＿ＬＥＤ、Ｇ＿ＬＥＤ、Ｂ＿ＬＥＤから発生した赤色光、緑色光、及び青色光の光量をセンシングする（ステップＳ１１０）。光センシング部３３０は、赤色、緑色、及び青色センシング信号を増幅してアナログ−デジタル変換部３７２に出力する。アナログ−デジタル変換部３７２は、赤色、緑色、及び青色センシング信号をデジタルデータに変換して赤色、緑色、及び青色センシングデータを出力する。
【００６５】
制御部３７４は、赤色、緑色、及び青色センシングデータが、保存部３５０に保存された基準データと一致するか否かを判断する（ステップＳ１２０）。
【００６６】
ステップＳ１２０において、赤色、緑色、及び青色センシングデータが基準データと一致すると判断されると、制御部３７４は、赤色、緑色、及び青色発光ダイオードＲ＿ＬＥＤ、Ｇ＿ＬＥＤ、Ｂ＿ＬＥＤに提供される駆動信号のデューティが維持されるように駆動制御部３７４を制御する（ステップＳ１３０）。
【００６７】
一方、ステップＳ１２０において、赤色、緑色、及び青色センシングデータが基準データと一致しないと判断されると、制御部３７４は、赤色、緑色、及び青色発光ダイオードＲ＿ＬＥＤ、Ｇ＿ＬＥＤ、Ｂ＿ＬＥＤの内、設定デューティで駆動された発光ダイオードが存在するか否かを判断する（ステップＳ１４０）。
【００６８】
ステップＳ１４０において、設定デューティで駆動された発光ダイオードが存在しないと判断されると、制御部３７４は、赤色、緑色、及び青色センシングデータが基準データと一致するように赤色、緑色、及び青色発光ダイオードＲ＿ＬＥＤ、Ｇ＿ＬＥＤ、Ｂ＿ＬＥＤに提供される駆動信号のデューティを制御して赤色光、緑色光、及び青色光の光量を補正した後（ステップＳ１５０）、ステップＳ１１０にフィードバックしてステップ１１０〜ステップＳ１４０の動作を繰り返して行う。
【００６９】
ステップＳ１４０において、設定デューティで駆動された発光ダイオードが存在すると判断されると、制御部３７４は、設定デューティで駆動された発光ダイオードの光量をセンシングするように、光センシング部３３０を制御する。光センシング部３３０は、制御部３７４の制御によって設定デューティで駆動された発光ダイオードの光量をセンシングする（ステップＳ１６０）。
【００７０】
制御部３７４は、設定デューティで駆動された発光ダイオードの光量に対応するセンシングデータと基準データの内、設定デューティで駆動された発光ダイオードに対応する基準データの比率を算出する（ステップＳ１７０）。
【００７１】
制御部３７４は、この比率を基に基準データを変更するための変更データを生成する（ステップＳ１８０）。例えば、制御部３７４は、この比率を基準データそれぞれに乗算して変更データを生成することができる。
【００７２】
制御部３７４は、保存部３５０に保存された基準データを変更データに変更した後（ステップＳ１９０）、ステップＳ１１０にフィードバックしてセンシングデートと基準データを比較する（ステップＳ１２０）動作を行う。
【００７３】
このように、本実施形態によると、赤色、緑色、及び青色発光ダイオードＲ＿ＬＥＤ、Ｇ＿ＬＥＤ、Ｂ＿ＬＥＤの内、輝度が低下した発光ダイオードが存在する場合、輝度が低下した発光ダイオードの光量を基に基準データを変更し、変更された基準データを基に赤色光、緑色光、及び青色光の光量を調節することによって、ターゲットホワイト色座標を常に維持することができる。従って、表示装置に表示される画像の表示品質を向上させることができる。
【００７４】
以上、図面を参照しながら本発明の実施形態について詳細に説明したが、本発明は、上述の実施形態に限定されるものではなく、本発明の技術的範囲から逸脱しない範囲内で多様に変更実施することが可能である。
【符号の説明】
【００７５】
１００    表示パネル
１３０    パネル駆動部
１３２    データ駆動部
１３４    ゲート駆動部
２００    タイミング制御部
２１２    第１制御信号（パネル制御信号）
２１４    第２制御信号（パネル制御信号）
２２０    光源制御信号
２５０    使用者入力部
３００    光源装置
３１０    光源モジュール
３３０    光センシング部
３３２    光センサー
３３２ａ    赤色光センサー
３３２ｂ    緑色光センサー
３３２ｃ    青色光センサー
３３４    増幅器
３３４ａ    赤色光増幅部
３３４ｂ    緑色光増幅部
３３４ｃ    青色光増幅部
３５０    保存部
３７０    光源制御部
３７２    アナログ−デジタル変換部
３７４    制御部
３９０    光源駆動部
３９２    赤色駆動部
３９４    緑色駆動部
３９６    青色駆動部
【図１】
2010135318.tif 000003
【図２】
2010135318.tif 000004
【図３】
2010135318.tif 000005
【図４】
2010135318.tif 000006